(57)【特許請求の範囲】
【請求項１】
風力発電機の回転ヘッドピースに堅固に接合されたラジアル軸受内のエンドサポートによって関節式に連結されたブレードまたはプロペラのピッチを調整するための風力発電機のブレードピッチ調整装置であって、
上記回転ヘッドピースは、シリンダー等のリニアーアクチュエータ（１）を備えており、上記リニアアクチュエータのシャフトはクロスピース（１４）に接続されており、
上記クロスピース（１４）は、上記ブレード（６）のエンドサポート（７）に接続された中間機構と協働し、上記クロスピース（１４）がシリンダーのシャフトによって駆動されて移動するときに、上記ブレードのピッチを変えるようになっており、
上記シリンダー（１）は上記回転ヘッドピース（３）の筒体（２）の内部に位置しており、ばね（１３）と、上記筒体（２）の一端から突き出たクロスピースの一部を形成する被案内リング（１２）とが上記筒体（２）の回りに結合されていることを特徴とする風力発電機のブレードピッチ調整装置。
によって
【請求項２】
請求項１に記載の風力発電機のブレードピッチ調整装置において、
上記クロスピース（１４）は、接続ロッド（９）によって上記エンドサポート（７）の各々に連結されており、上記接続ロッド（９）の一端は、それぞれのエンドサポート（７）に堅固に接合されたアーム（８）にヒンジ連結される一方、上記接続ロッド（９）の他端は、上記リング（１２）に堅固に接合されたピース（１１）に固定された短シャフト（１０）にヒンジ連結されていることを特徴とする風力発電機のブレードピッチ調整装置。
【請求項３】
請求項１または2に記載の風力発電機のブレードピッチ調整装置において、
上記ブレード（６）のエンドサポート（７）は、上記回転ヘッドピース（３）の回転中にブレード（６）のピッチを変更させることができるカンターウェイト（１５）を含むことを特徴とする風力発電機のブレードピッチ調整装置。
【発明の詳細な説明】
【技術分野】
【０００１】
本発明は、発明の名称に記載されているように、風力発電機のブレードピッチ調整装置に関し、能動的に、一連の予め定められた入力に応答して、あるいは、受動的に、ロータアレイの回転の結果としてブレード及びカウンターウェート上に現れる力によって起動されて、正に必要とされる時に上記ピッチを変更するようにするための風力発電機のブレードピッチ調整装置に関する。
【０００２】
したがって、本発明の新規な点は、ブレードの軸方向の回りの回転の制御変更を許容する特徴的な装置に集中している。この特徴的な装置は、ブレードがそれらのベースでラジアル軸受内において関節式に連結され、これらのラジアル軸受は風力発電機の回転ヘッドピースに堅固に接合されており、その回転とドラッグ(drag)が、上記ヘッドピースに接続され風力によって駆動されるブレードによって精確に引き起こされるものである。
【背景技術】
【０００３】
現在、風力発電機のブレードピッチはカンターウェイトによって機械的に変化することができ、ブレードが風力によって駆動されてその結果遠心力が生じ、それによってブレードが回転すると、ブレードは、その想像上の長手方向の軸の回りに回転することができる。特に風力発電機の速度が、過度の強風のために危険になり始めたときに、風力発電機のブレードピッチはカンターウェイトによって機械的に変化することができる。
【０００４】
ブレードピッチは液圧（油圧、水圧）式で能動的に変更することもできる。
【発明の概要】
【０００５】
風力発電機のブレードピッチ調整装置は、複数の筒状のラジアル軸受が設けられたロータヘッドピースつまり回転ヘッドピースの中央の空洞部に位置するリニアアクチュエータによって定義され、上記風力発電機の各ブレードは、上記ブレードが固定されているエンドサポートによって、上記ラジアル軸受に関節式に接続されていることを特徴としている。
【０００６】
上記回転ヘッドピースは基本的に、内部に上記リニアアクチュエータが配置された筒体と、上記筒状のラジアル軸受が堅固に接合された環状延長部とを備えている。
【０００７】
ばねが上記筒体の回りに結合されており、特徴的な可動のクロスピースは、上記筒体の端部の回りに案内される結合リングを備えている。上記リニアアクチュエータは、上記クロスピースの中心点に接続されてこのクロスピースを上記ばねの抵抗力に逆らってあるいはそれによって移動させ、これによりブレードピッチを変更して、その軸方向の回りの回転を生成する。
【０００８】
一方、上記クロスピースの直線運動は、接続ロッドによって、上記ブレードの各々に伝達される。この接続ロッドは、クロスピースの上記リングに接続された短シャフトに一端がヒンジ連結される一方、各ブレードが固定されているエンドサポートに堅固に接合された短アームに他端がヒンジ連結されている。
【０００９】
上記各ブレードは、上記回転ヘッドピースの回転を受動的に減らすために、従来のように、カンターウェイトを含むこともできる。
【００１０】
このようにして、この調整システムを、上記カンターウェイトシステムとは独立して、即ち、特定のパラメータ、例えば、ロータヘッドピースアレイの回転数、風速等とは独立して動作させることができるが、それらの適切に処理されたパラメータは、本発明の特徴的なアクチュエータの駆動手段を自動的に起動させることもできる。
【００１１】
以下、本明細書の内容がよく理解できるように、そして本明細書の一体部分を形成するものとして、説明的であるが非制限的な図面が添付されている。発明の対象は既に示された。
【図面の簡単な説明】
【００１２】
【図１】本発明の対象である風力発電機のブレードピッチを調整するための風力発電機の回転ヘッドピース（ロータヘッドピース）の斜視図である。
【図２】図１に示した風力発電機の回転ヘッドピースの縦断面図である。
【発明を実施するための形態】
【００１３】
図面に用いた参照番号を用いて説明すると、風力発電機のブレードピッチ調整装置は、リニアアクチュエータ、例えば液圧式または空気圧式のシリンダ１を備えている。このシリンダー１は、筒体２によって画定される中央の空洞に入れられている。筒体２は回転ヘッドピース３の一部を形成している。回転ヘッドピース３は環状延長部４をさらに備えており、この環状延長部４には複数のラジアル軸受５が強固に接合されている。ブレード６はそれぞれ、エンドサポート７によって各ラジアル軸受５に関節式に連結される。そして接続ロッド９に結合したアーム８は、その自由端によって、短シャフト１０に連結される。この短シャフト１０はソリッドピース１１に固定されており、ソリッドピース１１はリング１２に強固に連結されている。リング１２は筒体２の回りを案内され、且つ、その回りに結合されている。筒体２の回りには、ばね１３も結合されている。
【００１４】
上記リング１２はクロスピース１４の一部をなす。クロスピース１４は筒体２の自由端から突出して伸びており、シリンダー１のシャフトがこのクロスピース１４の中央に固定されている。そのため、シリンダー１のシャフトが直線的に移動すると、上記複数のブレードの想像上の長手方向の軸の回りに回転するブレードピッチ６が修正される。
【００１５】
上記ブレード６のそれぞれのエンドサポート７はカンターウェイト１５を含んでおり、ブレード６を介して風力により駆動される回転ヘッドピースの回転中、従来と同様に、プロペラまたはブレード６のピッチを受動的に調整することができる。
【００１６】
ブレード６のピッチは、シリンダー１によって自発的に調整することも、また、シリンダー１の起動制御を風速パラメータその他のパラメータに関連づけることによって受動的に調整することもできる。
【図１】
0005901157.tif 000002
【図２】
0005901157.tif 000003